(57)【要約】【課題】使用時にプラグを構成する栓刃がコンセントに確実に差し込まれるように、差し込み不足を検出する構造を有する機器を提供することを目的としている。【解決手段】ケース内部には導体であるピン９が設けられ、ピン９に接触または解離する接触片８と、ケースの栓刃の設けられている面に突出するボタン部７ａとを形成する差し込み不足検出体７が、ケースの外側に向かってばね体６により付勢されて取り付けられていることを特徴とする。【選択図】図２
2011108370.tif 000002
【特許請求の範囲】
【請求項１】
ケース内部に電子機器を搭載した基板を収納し、前記ケースにはコンセントに接続するためのプラグを構成する栓刃を設けた機器の前記栓刃の差し込み不足検出構造であって、前記ケース内部には導体であるピンが設けられ、該ピンに接触または解離する接触片と、前記ケースの前記栓刃の設けられている面に突出するボタン部とを形成する差し込み不足検出体が、前記ケースの外側に向かってばね体により付勢されて取り付けられていることを特徴とする機器の栓刃の差し込み不足検出構造。
【請求項２】
前記機器の前記栓刃の差し込み不足検出構造であって、前記基板に発光体を取り付け、前記差し込み不足検出体が前記栓刃の差し込み不足を検出したときに、前記発光体を発光させることで警報を発することを特徴とする請求項１に記載の機器の栓刃の差し込み不足検出構造。
【請求項３】
前記機器の前記栓刃の差し込み不足検出構造であって、前記基板にブザー装置を取り付け、前記差し込み不足検出体が前記栓刃の差し込み不足を検出したときに、前記ブザー装置を作動させ音により警報を発することを特徴とする請求項１または、請求項２に記載の機器の栓刃の差し込み不足検出構造。
【発明の詳細な説明】
【技術分野】
【０００１】
本発明は、ケース内部に電子機器を搭載した基板を収納し、ケースにはコンセントに接続するためのプラグを構成する栓刃を設けた機器の栓刃の差し込み不足検出構造に関するものである。
【背景技術】
【０００２】
コンセントに接続して電源を取り、ケースの背面側にプラグを構成する栓刃を突設したコンセントタップ等の機器は、本来、栓刃をコンセントに深く差し込み、栓刃を保持している面とコンセントの面とを密着させて使用するものである。しかし、栓刃を保持している面とコンセントの面とを密着させる前でも通電し、機器の使用が可能であるため、完全に差し込まれないまま使用され続けることがある。このような場合、コンセントと栓刃との間に塵埃等がたまり、この塵埃が湿気を含んでしまうとトラッキング現象が発生し、火災を引き起こす虞があった。
【０００３】
そこで、コンセントタップとコンセントとの間の隙間を埋めるような構造のコンセントタップが発明されている。
【先行技術文献】
【特許文献】
【０００４】
【特許文献１】特開２００１−３２６０３０号公報
【特許文献２】特開２００５−１９０９７４号公報
【特許文献３】特開２００８−３０５６８１号公報
【発明の開示】
【発明が解決しようとする課題】
【０００５】
しかしながら、上記従来の機器の構造では、コンセントと機器との間には隙間があっても、隙間に塵埃を寄せ付けないものであるが、本来のコンセントには機器のプラグの面を密着させて使用しなくても、通電はできているので、より安全に使用できる機器を提供することを課題としている。
【課題を解決するための手段】
【０００６】
そこで本発明は、コンセントに栓刃が確実に差し込まれるように、差し込み不足を検出する構造を有する機器を提供することを目的とし、その構造は、ケース内部には導体であるピンが設けられ、ピンに接触または解離する接触片と、ケースの栓刃の設けられている面に突出するボタン部とを形成する差し込み不足検出体が、ケースの外側に向かってばね体により付勢されて取り付けられていることを特徴とする。
【０００７】
また、基板に発光体を取り付け、差し込み不足検出体が栓刃の差し込み不足を検出したときに、発光体を発光させることで警報を発することを特徴とする。
【０００８】
また、基板にブザー装置を取り付け、差し込み不足検出体が栓刃の差し込み不足を検出したときに、ブザー装置を作動させ音により警報を発することを特徴とする。
【発明の効果】
【０００９】
本発明の機器の栓刃の差し込み不足検出構造は、機器の栓刃のコンセントへの差し込み不足を検出し、警報を発することができるものである。警報が発せられると使用者は確実にコンセントに栓刃を差し込むため、コンセントとプラグとの間に隙間が生じることがなくなり、トラッキング現象を未然に防ぐことができる。また、短絡や感電といった電気事故も未然に防ぐことができる。
【図面の簡単な説明】
【００１０】
【図１】本発明に係る機器の栓刃の差し込み不足検出構造を示す説明図である。
【図２】図１における機器のケース内部を示す説明図である。
【図３】本発明に係る機器の栓刃の差し込み不足検出構造における警報を発しない状態を示す一部断面図である。
【図４】本発明に係る機器の栓刃の差し込み不足検出構造における警報を発する状態を示す一部断面図である。
【発明を実施するための形態】
【００１１】
本発明に係る機器の栓刃の差し込み不足検出構造の実施例を図１〜図４の添付図面に基いて説明する。
【００１２】
本発明に係る機器１は、ケース２の背面２ａに栓刃３を設け、栓刃３をコンセントに差し込んで電源をとるように構成されている。ケース２の内部には電子機器を搭載した基板４が収納されている。基板４は水平方向４ａと垂直方向４ｂとにそれぞれ設けられている。
【００１３】
ケース２の上面部には内側にばね体保持部５を形成する。ばね体保持部５にはばね体６を装着する。ばね体６はケース２の外側へ向かって付勢されている。ばね体６の端部には差し込み不足検出体７が接続され、ばね体６によりケース２の外側方向へ付勢される。差し込み不足検出体７の先端は、ボタン部７ａとなっており、ボタン部７ａは通常ケース２の外側に突出した状態である。ケース２に設けられた栓刃３をコンセントに差し込んだときにばね体６は収縮し、ボタン部７ａが、ケース２内部へ入り込む構造である。差し込み不足検出体７には、接触片８，８を形成している。接触片８，８は、差し込み不足検出体７のばね体６の伸縮動作に連動して、上下動するものである。
【００１４】
垂直方向に設けられた基板４ｂには導体で構成されたピン９，９を水平方向に二本突設している。この二本のピン９，９と、差し込み不足検出体７に形成された接触片８，８が接触すると導通状態となる機構である。導通させた先に何らかの警報手段を設けることで、警報を発することが可能である。
【００１５】
栓刃３をコンセントに確実に差し込んだ状態では、ボタン部７ａがコンセントの壁面に押され、ばね体６が収縮し差し込み不足検出体７がケース２内部に押し込まれる状態となる。そうした時に、差し込み不足検出体７に形成された接触片８，８もケース２内側へ移動することになるため、接触片８，８は、ピン９，９から離間する。接触片８，８とピン９，９は導通しなくなるため、警報が発せられない。
【００１６】
一方、栓刃３がコンセントに十分に差し込まれていない状態では、ボタン部７ａがコンセントの壁面に押されず、差し込み不足検出体７に形成された接触片８，８も移動しないため、接触片８，８は、ばね体６に付勢された状態のまま、ピン９，９と接触している。接触片８，８とピン９，９は導通状態であるので、警報を発することができる。
【００１７】
以上のように構成された機器１の栓刃差し込み不足検出構造において、基板５上に、ＬＥＤ等の発光体１０を備え、接触片８，８とピン９，９とが導通状態となったときに、発光体１０を発光させて、機器１がコンセントに完全に差し込まれていない状態であるという警報を発することができる。機器１とコンセントとの間に隙間が生じ、塵埃がたまって湿気を含むと、トラッキング現象が発生する虞がある。トラッキング現象が発生する状況になる前に警報を発することで、未然にトラッキング火災を防ぐことができる。
【００１８】
また、以上のように構成された機器の栓刃差し込み不足検出構造において、基板上に、ブザーを備え、接触片とピンとが導通状態となったときに、ブザーを鳴らして、機器がコンセントに完全に差し込まれていない状態であるという警報を発することができる。機器とコンセントとの間に隙間が生じると、塵埃がたまって湿気を含むと、トラッキング現象が発生する虞がある。トラッキング現象が発生する状況になる前に警報を発することで、未然にトラッキング火災を防ぐことができる。
【符号の説明】
【００１９】
１    機器
２    ケース
２ａ  背面
３    栓刃
４    基板
４ａ  水平基板
４ｂ  垂直基板
５    ばね体保持部
６    ばね体
７    差し込み不足検出体
７ａ  ボタン部
８    接触片
９    ピン
１０  発光体
【図１】
2011108370.tif 000003
【図２】
2011108370.tif 000004
【図３】
2011108370.tif 000005
【図４】
2011108370.tif 000006